(57)【要約】  【課題】  シートの巻き上げ・巻き下げ中であっても画像を表示することができる投影シートシャッター装置を提供する。  【解決手段】  シート１０の巻き上げ・巻き下げを行うためのモータ２３と、シート１０の巻き上げ・巻き下げ量を検出するためのロータリーエンコーダ６２と、シート１０のスクリーン部２１０に画像を投影するためのプロジェクター２０１と、プロジェクター２０１の投影方向を移動させるためのモータ３０１と、プロジェクター２０１の投影方向を検出するためのロータリーエンコーダ３０２と、巻き上げ指示信号が供給された場合に、シート１０の巻き上げをモータ２３に行わせるとともに、プロジェクター２０１の投影方向をスクリーン部２１０に合わせて移動させることをモータ３０２に行わせるための制御装置４０とを具備する。【選択図】  図１
2006039202.tif 000002
【特許請求の範囲】
【請求項１】
建物の開口において上げ下げされ前記開口を開閉するシートと、
前記シートの巻き上げ又は巻き下げを行うための第１の駆動手段と、
前記シートの巻き上げ又は巻き下げ量を検出するための第１のセンサと、
前記シートの所定の領域に画像を投影するためのプロジェクターと、
前記プロジェクターの投影方向を移動させるための第２の駆動手段と、
前記プロジェクターの投影方向を検出するための第２のセンサと、
前記シートを巻き上げることを指示する第１の指示信号が供給された場合に、前記シートの巻き上げ量を前記第１のセンサを用いて検出しながら、前記シートの巻き上げを前記第１の駆動手段に行わせるとともに、前記プロジェクターの投影方向を前記第２のセンサを用いて検出しながら、前記プロジェクターの投影方向を前記シートの前記所定の領域に合わせて移動させることを前記第２の駆動手段に行わせるための制御装置と、
を具備する投影シートシャッター装置。
【請求項２】
前記制御装置が、
前記第１の指示信号が供給された場合に、前記シートの前記所定の領域に画像が表示されているときは、当該画像の表示が終了した後に、前記シートの巻き上げを前記第１の駆動手段に行わせる、請求項１記載の投影シートシャッター装置。
【請求項３】
前記制御装置が、
前記シートを巻き下げることを指示する第２の指示信号が供給された場合に、前記シートの巻き下げ量を前記第１のセンサを用いて検出しながら、前記シートの巻き下げを前記第１の駆動手段に行わせるとともに、前記プロジェクターの投影方向を前記第２のセンサを用いて検出しながら、前記プロジェクターの投影方向を前記シートの前記所定の領域に合わせて移動させることを前記第２の駆動手段に行わせる、請求項１又は２記載の投影シートシャッター装置。
【請求項４】
前記制御装置が、
前記シートの巻き上げが行われたときに前記所定の領域に表示されていた画像の時間長、前記画像が前記所定の領域に表示された時間、及び／又は、前記所定の領域が巻き上げられていた時間に応じて、前記画像の表示を前記プロジェクターに再開させる、請求項３記載の投影シートシャッター装置。
【請求項５】
前記制御装置が、
前記所定の領域が所定時間以上巻き上げられていた場合に、前記画像を第１の所定箇所から前記プロジェクターに表示させ、
前記画像が前記所定の領域に表示された時間が前記画像の時間長の第１の所定割合以下の場合に、前記画像を前記第１の所定箇所から前記プロジェクターに表示させ、
前記画像が前記所定の領域に表示された時間が前記画像の時間長の第２の所定割合以下の場合に、前記画像の第２の所定箇所から前記プロジェクターに表示させ、
前記画像が前記所定の領域に表示された時間が前記画像の時間長の前記第２の所定割合より長い場合に、前記画像の第３の所定箇所から前記プロジェクターに表示させる、請求項４記載の投影シートシャッター装置。
【請求項６】
音声を出力するためのスピーカを更に具備する、請求項１〜５のいずれか１項に記載の投影シートシャッター装置。
【発明の詳細な説明】
【技術分野】
【０００１】
本発明は、建物の出入り口を開閉するシートに画像を投影する投影シートシャッター装置に関する。
【背景技術】
【０００２】
従来より、液晶ビデオプロジェクターを用いて店舗の入口ドア等に所望の静止画或いは動画を表示する店頭ディスプレイ装置が知られている（例えば、特許文献１参照）。
液晶ビデオプロジェクターは、一度消灯すると再点灯に時間がかかるため、店舗の営業中は点灯し続けることが望ましい。しかしながら、液晶ビデオプロジェクターから店舗の入口ドアに画像を投影している間に入口ドアが開くと、液晶ビデオプロジェクターから出射した光が消費者等の目に入射してしまうおそれがある。
【０００３】
そのため、特許文献１においては、センサにより人の接近が感知されると遮光板をプロジェクションレンズの光軸中に介入させることによりその光を遮断することが掲載されている。
しかしながら、上記のように、遮光板により光を遮断することとすると、入口ドアの開閉動作中に画像を表示することができないという問題があった。
【０００４】
【特許文献１】特開平０６−４３８２１号公報
【発明の開示】
【発明が解決しようとする課題】
【０００５】
そこで、上記の点に鑑み、本発明は、シートの巻き上げ・巻き下げ中であっても画像を表示することができる投影シートシャッター装置を提供することを目的とする。
【課題を解決するための手段】
【０００６】
以上の課題を解決するため、本発明に係る投影シートシャッター装置は、建物の開口において上げ下げされ開口を開閉するシートと、シートの巻き上げ又は巻き下げを行うための第１の駆動手段と、シートの巻き上げ又は巻き下げ量を検出するための第１のセンサと、シートの所定の領域に画像を投影するためのプロジェクターと、プロジェクターの投影方向を移動させるための第２の駆動手段と、プロジェクターの投影方向を検出するための第２のセンサと、シートを巻き上げることを指示する第１の指示信号が供給された場合に、シートの巻き上げ量を第１のセンサを用いて検出しながら、シートの巻き上げを第１の駆動手段に行わせるとともに、プロジェクターの投影方向を第２のセンサを用いて検出しながら、プロジェクターの投影方向をシートの所定の領域に合わせて移動させることを第２の駆動手段に行わせるための制御装置とを具備する。
【０００７】
ここで、制御装置が、第１の指示信号が供給された場合に、シートの所定の領域に画像が表示されているときは、当該画像の表示が終了した後に、シートの巻き上げを第１の駆動手段に行わせることとしても良い。
【０００８】
また、制御装置が、シートを巻き下げることを指示する第２の指示信号が供給された場合に、シートの巻き下げ量を第１のセンサを用いて検出しながら、シートの巻き下げを第１の駆動手段に行わせるとともに、プロジェクターの投影方向を第２のセンサを用いて検出しながら、プロジェクターの投影方向をシートの所定の領域に合わせて移動させることを第２の駆動手段に行わせることとしても良い。
【０００９】
また、制御装置が、シートの巻き上げが行われたときに所定の領域に表示されていた画像の時間長、画像が所定の領域に表示された時間、及び／又は、所定の領域が巻き上げられていた時間に応じて、画像の表示をプロジェクターに再開させることとしても良い。さらに、制御装置が、所定の領域が所定時間以上巻き上げられていた場合に、画像を第１の所定箇所からプロジェクターに表示させ、画像が所定の領域に表示された時間が画像の時間長の第１の所定割合以下の場合に、画像を第１の所定箇所からプロジェクターに表示させ、画像が所定の領域に表示された時間が画像の時間長の第２の所定割合以下の場合に、画像の第２の所定箇所からプロジェクターに表示させ、画像が所定の領域に表示された時間が画像の時間長の第２の所定割合より長い場合に、画像の第３の所定箇所からプロジェクターに表示させることとしても良い。
【００１０】
また、音声を出力するためのスピーカを更に具備することとしても良い。
【発明の効果】
【００１１】
上記構成によれば、シートの巻き上げ・巻き下げ量に合わせてプロジェクターの投影方向を移動させることができる。これにより、シートの巻き上げ・巻き下げ中であっても画像を表示することが可能となる。
【発明を実施するための最良の形態】
【００１２】
以下、図面を参照しながら、本発明の実施の形態について説明する。
図１は、本発明の一実施形態に係る投影シートシャッター装置の回路構成の概要を示す図である。図１に示すように、この投影シートシャッター装置１は、シート１０と、モータ２３、３０１と、制御装置４０と、ロータリーエンコーダ６２、３０２と、プロジェクター２０１と、スピーカ２０５とを具備する。
【００１３】
図２は、投影シートシャッター装置１の構造を示す図であり、図２（Ａ）は正面図、図２（Ｂ）は模式的側面断面図、図２（Ｃ）は平面図である。
投影シートシャッター装置１は、シート１０と、シート１０を巻き上げ・巻き下げするローラ組立体２０と、フレーム３０等を有する。フレーム３０は、左右のレールボックス３１Ｌ、３１Ｒと、左右レールボックス３１の上端間に掛け渡された本体ボックス８１を有する。左右レールボックス３１の間をシャッター開口という。図２（Ｂ）、図２（Ｃ）に示すように、左右のレールボックス３１及び本体ボックス８１は、左右の柱８３Ｌ、８３Ｒで支持されている。
【００１４】
シート１０は、パイプのないフラットシートである。このようなシートは、例えば、塩ビやポリエステル等の合成樹脂で作製される。シート１０の一面の下端には、シート１０の幅方向に渡ってフラットバー１１が固定されている。フラットバー１１は、シート１０の巻き下げ時の重りとなるもので、鋼帯等で作製され、所定の重量を有する。
【００１５】
本体ボックス８１の下面には、同ボックスの幅方向に渡って、シート１０が出し入れされる開口８７が開けられている。同ボックス８１内には、ローラ組立体２０が、シート１０の幅方向に渡って配置されている。ローラ組立体２０は、シート１０とほぼ同じ幅を有するロータパイプ２１と、同パイプ２１を回転させるモータ２３（減速機付き）を備える。ロータパイプ２１の幅方向中央には、ゴム板２５が巻き付けられている。一例で、ゴム板２５の厚さは４ｍｍである。ロータパイプ２１には、シート１０の上端が固定されている。
【００１６】
モータ２３が一方向に回転すると、シート１０が本体ボックス８１の開口８７からロータパイプ２１の外周に巻き上げられて、シャッター開口が開く。そして、モータ２３が反対方向に回転すると、シート１０がロータパイプ２１の外周から本体ボックス８１の開口８７を通って垂下するように巻き下げられて、シャッター開口が閉じられる。
【００１７】
本体ボックス８１には、コントロールボックス（図示されず）が取り付けられている。このコントロールボックスには、制御装置４０等が収容されている。
【００１８】
再び図１を参照すると、制御装置４０は、電源部４１と、制御部４５と、画像・音声データ記録部４９とを具備する。
電源部４１は、制御部４５から供給される第１、第２電源制御信号にそれぞれ応じた第１、第２の電圧をモータ２３、３０１に出力するためのものであり、インバータ等で構成可能である。
【００１９】
ロータリーエンコーダ６２は、モータ２３の回転軸に取り付けられており、モータ２３の回転軸の回転量、すなわちシート１０の巻き上げ・巻き下げ量を検出可能である。なお、ロータリーエンコーダ６２に代えて、他のセンサを用いることとしても良い。例えば、ロータリーエンコーダ６２に代えてブラシレスモータを用いることとしても良い。
【００２０】
モータ３０１は、プロジェクター２０１に取り付けられており、プロジェクター２０１の投影方向を変更するためのものである。
ロータリーエンコーダ３０２は、モータ３０１の回転軸に取り付けられており、モータ３０１の回転軸の回転量、すなわちプロジェクター２０１の投影方向を検出可能である。なお、ロータリーエンコーダ３０２に代えて、他のセンサを用いることとしても良い。例えば、ロータリーエンコーダ３０２に代えてブラシレスモータを用いることとしても良い。
【００２１】
制御部４５は、巻き上げ指示信号又は巻き下げ指示信号を受け取ると、ロータリーエンコーダ６２、３０２から供給される信号を参照しながら、第１、第２電源制御信号を電源部４１に出力する。なお、巻き上げ指示信号及び巻き下げ指示信号は、店舗の従業員等が操作するスイッチから供給されることとしても良いし、従業員、台車、物等を検知するセンサ等から供給されることとしても良い。
また、制御部４５は、画像・音声データ記録部４９に記録されている画像データ、音声データに基づいて、プロジェクター２０１に画像信号を出力し、スピーカ２０５に音声信号を出力する。プロジェクター２０１は、制御部４５が出力する画像信号に基づいて、シート１０の表面又は裏面に画像を投影し、スピーカ２０５は、制御部４５が出力する音声信号に基づいて、音声を出力する。
【００２２】
図３は、本発明の投影シートシャッター装置１の構成を説明する正面図である。
図４は、図３の投影シートシャッター装置の使用例である。
この投影シートシャッター装置１は、上述のように、フラットタイプのシート１０を使用するものであり、シート１０の色は白色で表面はマット処理されている。シート１０が下降した状態において、シャッター開口のほぼ上半分に相当する部分はスクリーン部２１０となる部分である。同部分には、シートの継ぎ目が存在しないことが好ましい。
また、本体ボックス８１には、画像情報と関連する音声情報を発するスピーカ２０５が備えられている。
【００２３】
図４（Ａ）に示すように、シートが下降した状態において、シート１０のスクリーン部２１０には、プロジェクター２０１から画像が投影される。プロジェクター２０１の投影方式は、反射式あるいは透過式とできる。図４（Ａ）は、反射式のプロジェクター２０１を使用するタイプのものである。プロジェクター２０１は、本体ボックス８１内に備えられている。プロジェクター２０１から投影される画像は、本体ボックス８１から前方に突き出た反射鏡２０３で反射して、シート１０のスクリーン部２１０に投影される。スクリーン部２１０は、消費者Ｃの目の高さの位置に形成されているため、消費者Ｃは、スクリーン部２１０に映し出された映像を歩きながら見ることができる。
なお、スクリーン部２１０とシート１０の下端部との間の距離ｄは、例えば、１ｍ程度とすることができる。
【００２４】
投影される画像としては、商品のコマーシャルや、その店舗のセール品や店舗案内に関するものとすることができる。特に、商品のコマーシャルを投影し、このシートシャッターに隣接する位置に同商品を陳列することにより、この商品の購買意識を高めることが期待できる。
なお、画像データや音声データは、画像・音声サーバから供給され、画像・音声データ記録部４９（図１参照）に記録される。
【００２５】
図４（Ｂ）の投影シートシャッター１’は、透過式のプロジェクター２０１を使用するタイプのものである。同プロジェクター２０１は、シート１０に対して売り場と反対側の調理場や倉庫などの天井等に取り付けられる。そして、この場合は、シート１０のスクリーン部２１０が透過式のスクリーンとなっている。スクリーン部２１０にプロジェクター２０１から画像が投影されると、消費者Ｃは、同スクリーン部２１０を透過した画像を見る。
【００２６】
図１に示す制御部４５は、ＣＰＵとソフトウェア（プログラム）で構成することができる。このプログラム並びに画像及び音声データは、ＲＯＭ，ハードディスク、フレキシブルディスク、ＭＯ、ＭＴ、ＲＡＭ、ＣＤ−ＲＯＭ、又は、ＤＶＤ−ＲＯＭ等の記録媒体に記録することができる。
【００２７】
次に、投影シートシャッター装置１の動作について説明する。
まず、シート１０の巻き上げ時における投影シートシャッター装置１の動作について説明する。図５は、シート１０の巻き上げ時における制御装置４０の処理を示すフローチャートである。
【００２８】
巻き上げ指示信号が供給されると、制御部４５は、モータ２３の回転軸及びロータパイプ２１を図２（Ｂ）中の反時計回りに回転させるための電圧をモータ２３に出力することを指示する第１電源制御信号を電源部４１に出力する。電源部４１は、第１電源制御信号に応じた電圧をモータ２３に印加する。これにより、シート１０の巻き上げが開始される（ステップＳ１）。
【００２９】
それとともに、制御部４５は、ロータリーエンコーダ６２から供給される信号を参照してシート１０の巻き上げ量（スクリーン部２１０の上方への移動量）を検出し、プロジェクター２０１の投影方向をスクリーン部２１０の移動量に合わせて上方向に変更させるための電圧をモータ３０１に出力することを指示する第２電源制御信号を電源部４１に出力する。電源部４１は、第２電源制御信号に応じた電圧をモータ３０１に印加する。これにより、プロジェクター２０１の投影方向が、スクリーン部２１０の移動量に合わせて上方向に変更される（ステップＳ２）。図６及び図７は、このときの投影シートシャッター装置１を示す図である。
【００３０】
その後、制御部４５は、シート１０が上限に到達すると（ステップＳ３）、モータ２３への電圧の印加を終了することを指示する第１電源制御信号を電源部４１に出力する。これにより、シート１０の巻き上げが終了する（ステップＳ４）。なお、シート１０の上限は、物理的な上限の場合のほか、ユーザによって設定された上限であっても良い。
【００３１】
また、制御部４５は、プロジェクター２０１の投影方向が上限に到達すると（ステップＳ５）、モータ３０１への電圧の印加を終了することを指示する第２電源制御信号を電源部４１に出力する。これにより、プロジェクター２０１の投影方向の上方への移動が終了する（ステップＳ６）。なお、プロジェクター２０１の投影方向の上限は、物理的な上限の場合のほか、ユーザによって設定された上限であっても良い。
そして、制御部４５は、シート１０、プロジェクター２０１の両方が停止すると（ステップＳ７）、処理を終了する。図８は、このときの投影シートシャッター装置１を示す図である。
【００３２】
次に、シート１０の巻き下げ時における投影シートシャッター装置１の動作について説明する。図９は、シート１０の巻き下げ時における制御装置４０の処理を示すフローチャートである。
【００３３】
巻き下げ指示信号が供給されると、制御部４５は、モータ２３の回転軸及びロータパイプ２１を図２（Ｂ）中の時計回りに回転させるための電圧をモータ２３に出力することを指示する第１電源制御信号を電源部４１に出力する。電源部４１は、第１電源制御信号に応じた電圧をモータ２３に印加する。これにより、シート１０の巻き下げが開始される（ステップＳ１１）。なお、先に説明したように、シート１０の下端部にはフラットバー１１が重りとして取り付けられており、モータ２３に所定時間電圧を印加した後は、モータ２３への電圧の印加を停止しても、シート１０の巻き下げは継続される。
【００３４】
それとともに、制御部４５は、ロータリーエンコーダ６２から供給される信号を参照してシート１０の巻き下げ量（スクリーン部２１０の下方への移動量）を検出し、プロジェクター２０１の投影方向をスクリーン部２１０の移動量に合わせて下方向に変更させるための電圧をモータ３０１に出力することを指示する第２電源制御信号を電源部４１に出力する。電源部４１は、第２電源制御信号に応じた電圧をモータ３０１に印加する。これにより、プロジェクター２０１の投影方向が、スクリーン部２１０の移動量に合わせて下方向に変更される（ステップＳ１２）。
【００３５】
その後、制御部４５は、シート１０が下限に到達すると（ステップＳ１３）、モータ２３の回転を停止させることを指示する第１電源制御信号を電源部４１に出力する。これにより、シート１０の巻き下げが終了する（ステップＳ１４）。
このとき、シート１０に反転上昇入力があった場合（ステップＳ１５）、制御部４５は、シート１０の巻き上げ（図５のフローチャートと同様の処理）を行う（ステップＳ１６）。
また、制御部４５は、プロジェクター２０１の投影方向が下限に到達すると（ステップＳ１７）、モータ３０１への電圧の印加を終了することを指示する第２電源制御信号を電源部４１に出力する。これにより、プロジェクター２０１の投影方向の下方への移動が終了する（ステップＳ１８）。
そして、制御部４５は、シート１０、プロジェクター２０１の両方が停止すると（ステップＳ１９）、処理を終了する。
【００３６】
このように、投影シートシャッター装置１によれば、スクリーン部２１０の移動量に合わせてプロジェクター２０１の投影方向を移動させることができる。これにより、シート１０の巻き上げ・巻き下げ中であっても、スクリーン部２１０が本体ボックス８１に格納されている間以外は画像を投影することが可能となる。また、透過式のプロジェクターを用いた場合に、プロジェクターから出射された光が消費者Ｃの目に入射することを防止することができる（図８（Ｂ）参照）。
また、投影シートシャッター装置１の設置面と本体ボックス８１の下端との間に比較してシート１０の巻き上げの上限が低い場合（例えば、投影シートシャッター装置１の設置面と本体ボックス８１の下端との間が４〜５ｍ程度であり、シート１０の巻き上げの上限が設置面から２ｍ程度に設定されている場合等）には、スクリーン部２１０が本体ボックス８１に格納されず、動画像を途切れることなく表示することが可能となる。
【００３７】
ところで、図９に示す処理においては、スクリーン部２１０に動画像（例えば、１５秒のコマーシャル等）が表示されている最中にシート１０が巻き上げられた場合に、消費者Ｃは、スクリーン部２１０が本体ボックス８１に格納されている間の動画像を見ることができないということが生じ得る。このようなことを防止するための投影シートシャッター装置１のシート１０の巻き下げ動作について説明する。図１０及び図１１は、このときの制御装置４０の処理を示すフローチャートである。
なお、ここでは、１５秒のコマーシャルが表示されている最中にシート１０が巻き上げられたものとする。
【００３８】
巻き下げ指示信号が供給されると、制御部４５は、モータ２３の回転軸及びロータパイプ２１を図２（Ｂ）中の時計回りに回転させるための電圧をモータ２３に出力することを指示する第１電源制御信号を電源部４１に出力する。電源部４１は、第１電源制御信号に応じた電圧をモータ２３に印加する。これにより、シート１０の巻き下げが開始される（ステップＳ２１）。
【００３９】
それとともに、制御部４５は、ロータリーエンコーダ６２から供給される信号を参照してシート１０の巻き下げ量（スクリーン部２１０の下方への移動量）を検出し、プロジェクター２０１の投影方向をスクリーン部２１０の移動量に合わせて下方向に変更させるための電圧をモータ３０１に出力することを指示する第２電源制御信号を電源部４１に出力する。電源部４１は、第２電源制御信号に応じた電圧をモータ３０１に印加する。これにより、プロジェクター２０１の投影方向が、スクリーン部２１０の移動量に合わせて下方向に変更される（ステップＳ２２）。
【００４０】
そして、制御部４５は、スクリーン部２１０が本体ボックス８１の外に出ると（ステップＳ２３）、動画像の時間長（ここでは、１５秒）、巻き上げ前に動画像が表示された時間、スクリーン部２１０が格納されていた時間に応じて、動画像の表示を再開する（ステップＳ２４）。図１１は、ステップＳ２４の処理の詳細を示すフローチャートである。
【００４１】
制御部４５は、スクリーン部２１０が本体ボックス８１に格納されていた時間が所定の時間（ここでは、１０秒とする。なお、この長さは、ユーザにより任意に設定が可能であっても良い。）以上である場合（ステップＳ３１）、動画像を所定の箇所（ここでは、最初とする。なお、この箇所は、ユーザにより任意に設定が可能であっても良い。）からプロジェクター２０１に表示させるとともに、音声を所定の箇所（ここでは、最初）からスピーカ２０５に出力させる（ステップＳ３２）。これは、スクリーン部２１０が本体ボックス８１に１０秒以上も格納されていた場合、スクリーン部２１０が本体ボックス８１に格納される前に表示されていた動画像を見ていた消費者が既に立ち去ってしまったものと考えられるためである。
【００４２】
また、制御部４５は、スクリーン部２１０が本体ボックス８１に格納される前に動画像が表示された時間が動画像の時間長（ここでは１５秒）の所定割合（ここでは、３分の１（５秒）とする。なお、この割合は、ユーザにより任意に設定可能であっても良い。）以下である場合（ステップＳ３３）も、動画像を所定の箇所（ここでは、最初）からプロジェクター２０１に表示させるとともに、音声を所定の箇所（ここでは、最初）からスピーカ２０５に出力させる（ステップＳ３２）。これは、スクリーン部２１０が本体ボックス８１に格納される前に表示された時間が５秒以下である場合、動画像を途中から表示させるより最初から表示させた方が商品イメージの定着を図ることが可能であると考えられるためである。
【００４３】
また、制御部４５は、スクリーン部２１０が本体ボックス８１に格納される前に動画像が表示された時間が動画像の時間長（ここでは１５秒）の所定割合（ここでは、３分の２（１０秒）とする。なお、この割合は、ユーザにより任意に設定可能であっても良い。）以下である場合（ステップＳ３４）、動画像の所定の箇所（ここでは、最初から３分の１の箇所とする。なお、この箇所は、ユーザにより任意に設定可能であっても良い。）からプロジェクター２０１に表示させるとともに、音声を所定の箇所（ここでは、最初から３分の１の箇所）からスピーカ２０５に出力させる（ステップＳ３５）。これは、スクリーン部２１０が本体ボックス８１に格納される前に表示された時間が５秒より長く１０秒以下である場合、動画像を最初から表示させるより、最初から５秒の箇所から表示させた方が商品イメージの定着を図ることが可能であると考えられるためである。
【００４４】
また、制御部４５は、スクリーン部２１０が本体ボックス８１に格納される前に動画像が表示された時間が動画像の時間長（ここでは１５秒）の所定割合（ここでは、３分の２（１０秒））より長い場合（ステップＳ３４）、動画像の所定の箇所（ここでは、最初から３分の２の箇所とする。なお、この箇所は、ユーザにより任意に設定可能であっても良い。）からプロジェクター２０１に表示させるとともに、音声を所定の箇所（ここでは、最初から３分の２の箇所）からスピーカ２０５に出力させる（ステップＳ３６）。これは、スクリーン部２１０が本体ボックス８１に格納される前に表示された時間が１０秒より長い場合、動画像を最初又は最初から５秒の箇所から表示させるより、最初から１０秒の箇所から表示させた方が商品イメージの定着を図ることが可能であると考えられるためである。
【００４５】
再び図１０を参照すると、制御部４５は、シート１０が下限に到達すると（ステップＳ２５）、モータ２３の回転を停止させることを指示する第１電源制御信号を電源部４１に出力する。これにより、シート１０の巻き下げが終了する（ステップＳ２６）。
また、制御部４５は、プロジェクター２０１の投影方向が下限に到達すると（ステップＳ２７）、モータ３０１への電圧の印加を終了することを指示する第２電源制御信号を電源部４１に出力する。これにより、プロジェクター２０１の投影方向の下方への移動が終了する（ステップＳ２８）。
そして、制御部４５は、シート１０、プロジェクター２０１の両方が停止すると（ステップＳ２９）、処理を終了する。
【００４６】
このように、動画像の時間長、スクリーン部２１０が本体ボックス８１に格納される前に動画像が表示されていた時間、及び／又は、スクリーン部２１０が本体ボックス８１に格納されていた時間に応じて、動画像を最初又は途中からプロジェクター２０１に表示させることが可能となる。
【００４７】
上記のように、シート１０の巻き下げ時に、動画像の時間長、スクリーン部２１０が本体ボックス８１に格納される前に動画像が表示されていた時間、及び／又は、スクリーン部２１０が本体ボックス８１に格納されていた時間に応じて、動画像を最初又は途中からプロジェクター２０１に表示させることが可能である。しかし、このほか、シート１０の巻上げ時に、動画像の表示を中断させない、すなわち、動画像の表示中に巻き上げ指示信号が供給された場合には、動画像の表示が終了するまでシート１０の巻き上げを行わないということも考えられる。
図１２は、このときの制御装置４０の処理を示すフローチャートである。
【００４８】
巻き上げ指示信号が供給されると、制御部４５は、プロジェクター２０１に動画像を表示させているか否かをチェックし（ステップＳ４１）、動画像の表示中であれば、動画像の表示が終了するまで待つ（ステップＳ４２）。
動画像の表示中でない、又は、動画像の表示が終了した後、シート１０の巻き上げを開始し（ステップＳ４３）、プロジェクター２０１の投影方向をシート１０の巻き上げ量に合わせて変更する（ステップＳ４４）。
【００４９】
そして、制御部４５は、シート１０が上限に到達すると（ステップＳ４５）、シート１０の巻き上げを停止し（ステップＳ４６）、プロジェクター２０１の投影方向が上限に到達すると（ステップＳ４７）、プロジェクター２０１の投影方向の上方への移動を停止させる（ステップＳ４８）。
制御部４５は、シート１０、プロジェクター２０１の両方が停止すると（ステップＳ４９）、処理を終了する。
【００５０】
このように、動画像の表示中である場合には、動画像の表示が終了するまでシート１０の巻き上げを行わないことにより、動画像の表示が中断されてしまうことを防止することができる。
【産業上の利用可能性】
【００５１】
本発明は、建物の出入り口を開閉するシートに画像を投影する投影シートシャッター装置において利用可能である。この投影シートシャッター装置は、スーパーマーケット、コンビニエンスストア等の売り場と倉庫との間の出入り口において利用可能である。
【図面の簡単な説明】
【００５２】
【図１】本発明の一実施形態に係る投影シートシャッター装置の回路構成を示す図である。
【図２】本発明の一実施形態に係る投影シートシャッター装置の全体構造を説明するための図であり、図２（Ａ）は正面図、図２（Ｂ）は模式的側面断面図、図２（Ｃ）は平面図である。
【図３】本発明の一実施形態に係る投影シートシャッター装置の構成を説明する正面図である。
【図４】図３の投影シートシャッター装置の使用例である。
【図５】図１の投影シートシャッター装置１のシート巻き上げ時の動作を示すフローチャートである。
【図６】図３においてシート１０が巻き上げられている様子を示す図である。
【図７】図４においてシート１０が巻き上げられている様子を示す図である。
【図８】図４においてシート１０が巻き上げられた様子を示す図である。
【図９】図１の投影シートシャッター装置１のシート巻き下げ時の動作を示すフローチャートである。
【図１０】図１の投影シートシャッター装置１のシート巻き下げ時の動作を示すフローチャートである。
【図１１】図１の投影シートシャッター装置１のシート巻き下げ時の動作を示すフローチャートである。
【図１２】図１の投影シートシャッター装置１のシート巻き上げ時の動作を示すフローチャートである。
【符号の説明】
【００５３】
１  投影シートシャッター装置            １０  シート
１１  フラットバー                      ２０  ローラ組立体
２１  ロータパイプ                      ２３、３０１  モータ
２５  ゴム板                            ３０  フレーム
３１  レールボックス                    ８１  本体ボックス
８３  柱                                ８７  開口
４０  制御装置                          ４１  電源部
４５  制御部                            ４９  画像・音声データ記録部
６２、３０２  ロータリーエンコーダ      ２０１  プロジェクター
２０３  反射鏡                          ２０５  スピーカ
２１０  スクリーン部
【図１】
2006039202.tif 000003
【図２】
2006039202.tif 000004
【図３】
2006039202.tif 000005
【図４】
2006039202.tif 000006
【図５】
2006039202.tif 000007
【図６】
2006039202.tif 000008
【図７】
2006039202.tif 000009
【図８】
2006039202.tif 000010
【図９】
2006039202.tif 000011
【図１０】
2006039202.tif 000012
【図１１】
2006039202.tif 000013
【図１２】
2006039202.tif 000014